(57)【要約】      （修正有）【課題】カフ・インフレーションラインおよび／またはカフ上部吸引ライン付き気管内挿管チューブへの固定が容易でかつ固定が緩みにくいうえ、これら２本のラインの潰れや噛み切りを防止でき、さらに充分な強度を有するバイトブロックを提供する。【解決手段】本考案のバイトブロック１０は、口唇部位における気管内挿管チューブの閉塞を防止するためのバイトブロックであって、気管内挿管チューブの長手方向に沿って筒状の本体１と、この筒状本体１の端部１ａから筒状の軸線方向に突出する、締結用具係止用フランジ部２と、を備える。これにより、バイトブロックの気管内挿管チューブに対する固定が確実になり、チューブの潰れの抑制と安全性とが向上する。また、前記筒状本体１の軸線方向に直交する断面を、円形または楕円形とすることにより、咬合に対する耐性や強度が向上する。【選択図】図１
0003213798.tif 000002
【実用新案登録請求の範囲】
【請求項１】
口唇部位における気管内挿管チューブの閉塞を防止するためのバイトブロックであって、
前記気管内挿管チューブの長手方向に沿って筒状の本体と、
この筒状本体の端部から筒状の軸線方向に突出する、締結用具係止用フランジ部と、
を備えることを特徴とするバイトブロック。
【請求項２】
前記締結用具係止用フランジ部が、その一部に切り欠きを有するフック状またはかぎ状に形成されていることを特徴とする請求項１に記載のバイトブロック。
【請求項３】
前記締結用具係止用フランジ部の先端側が、前記締結用具の抜け止めとなる、返し形状に形成されていることを特徴とする請求項１または２に記載のバイトブロック。
【請求項４】
前記筒状本体の、軸線方向に直交する断面がＣ字状であり、
このＣ字状断面の開口が、前記気管内挿管チューブ嵌め入れ用のスリットであることを特徴とする請求項１〜３のいずれか１項に記載のバイトブロック。
【請求項５】
前記筒状本体の軸線方向に直交する断面が、円形または楕円形の一部を構成しており、
前記締結用具係止用フランジ部が、前記断面における、前記円形または楕円形の曲率中心を挟んで前記スリットに対向する位置に設けられていることを特徴とする請求項４に記載のバイトブロック。
【請求項６】
前記筒状本体のスリットの幅が、前記気管内挿管チューブとカフ・インフレーションラインを挿通可能な３．０〜７．０ｍｍに形成されており、該筒状本体の軸線方向に直交する断面が、前記気管内挿管チューブと各ラインとを同時に収容可能な内径５．０〜１３．０ｍｍの円状であることを特徴とする請求項５に記載のバイトブロック。
【請求項７】
前記筒状本体のスリットの幅が、前記気管内挿管チューブとカフ・インフレーションラインおよびカフ上部吸引ラインとを挿通可能な７．０〜１０．０ｍｍに形成されており、該筒状本体の軸線方向に直交する断面が、前記気管内挿管チューブと各ラインとを同時に収容可能な、長径１２．０〜１７．０ｍｍ、短径８．０〜１３．０ｍｍの楕円状であることを特徴とする請求項５に記載のバイトブロック。
【考案の詳細な説明】
【技術分野】
【０００１】
本考案は、患者等の口から気管に向けて挿入された気管内挿管チューブを保護するために用いられるバイトブロックに関する。
【背景技術】
【０００２】
全身麻酔下の手術時や、自発呼吸困難な重症患者の治療の際には、患者等の口から気管に向けてチューブ（気管内挿管チューブ）を挿入し、人工呼吸器等を用いて呼吸を補助することが行われる。その際、挿入した気管内挿管チューブを患者等が噛み潰すことによるチューブの閉塞を防止するために、「バイトブロック」と呼ばれる医療用器具が使用される。
【０００３】
前記バイトブロックの種類は、大きく分けて２種類に分類することができる。１つは、円筒状本体から径方向に突出する鍔部またはフランジ部を、患者等の上唇と上顎前歯との間、および、下唇と下顎前歯との間（両者とも「口腔前庭」という）にそれぞれ挟み込
む、または上下唇の外側に固定するタイプのものである（特許文献１，２等を参照）。
【０００４】
また、２つ目は、円筒形状の中に気管内挿管チューブ内通させ、口腔内の異物容積を減らすことにより口腔、口唇への圧迫を低減させることにより皮膚や粘膜トラブルを防ぐタイプのものがある。このタイプは、前述の気管内挿管チューブに加え、気管内挿管チューブ先端にあるバルーン（以下、「カフ」と呼ぶ）を膨張させるためのインフレーションラインと、カフより上側（入口側）の痰を吸引するための別の細いチューブ、いわゆる「カフ上部吸引ライン」等、複数本のライン（細いチューブ）を並設する複合チューブが増えたことに対応するものである。
【０００５】
このタイプの固定方法は、図９（ａ）〜（ｃ）の写真代用図面に示すように、（ａ）気管内挿管チューブと各ラインとを一緒に挟み込んで固定するものや、（ｂ）予め用意されたタイバンドやテープ等の締結用具が、バイトブロックの筒状本体から径方向に突出するように取り付けられたもの、（ｃ）テープ等の固定に用いるフランジ部が、バイトブロックの筒状本体から筒状の軸線方向に突出するもの等が知られている。
【先行技術文献】
【特許文献】
【０００６】
【特許文献１】実用新案登録第３１６８８２７号
【特許文献２】特開２０１６−１５０２５９号公報
【考案の概要】
【考案が解決しようとする課題】
【０００７】
しかしながら、図９（ａ）〜（ｃ）に示すような従来型のカフ上部吸引ライン対応バイトブロックにおいては、以下のような問題がある。すなわち、図９（ａ）に示すような開閉式のタイプは、バイトブロック内に、前記カフ・インフレーションラインやカフ上部吸引ラインを気管内挿管チューブと一緒に挿通できるが、テープ等によりきちんと固定しないため、チューブの長手方向（軸線方向）に位置ずれを起こす可能性がある。また、開閉式の構造は強度を保ち難く、患者の強い噛み合わせによって潰れてしまう可能性が高い。
【０００８】
さらに、図９（ｂ）に示すようなタイプは、固定が煩雑で、テープ等による固定が、唾液等により緩んでしまう場合がある。
【０００９】
また、図９（ｃ）に示すようなタイプは、先タイプと同様、唾液等により、テープによる固定が緩んでしまう可能性があり、常時監視していなければならないという難点がある。
【００１０】
このように、近年多用されるようになった、カフ上部吸引ライン付き気管チューブに特化したバイトブロックは、現状存在していない。しかも、上記従来のタイプのバイトブロックは、その固定が甘くなり、位置ずれを多発して、危ないという問題がある。そのため、これらバイトブロックの改善、特にチューブへの固定方法の改善が望まれている。
【００１１】
なお、図９（ｂ），（ｃ）に示すようなタイプにおいては、断面が円形であるため、内径寸法（サイズ）によっては、前記カフ上部吸引ラインを含む複数本のライン（細いチューブ）を、バイトブロック内に気管内挿管チューブと一緒に挿通できない場合がある。この場合、カフ・インフレーションラインおよび／またはカフ上部吸引ラインをバイトブロックの外に出しておくと、これらのラインが噛み切られる恐れがある。また、バイトブロック内に気管内挿管チューブと一緒に挿通できたとしても、同様に、これら２本のラインが十分に機能できないほど、その内径が潰れてしまう可能性が高い。
【００１２】
本考案は、このような事情に鑑みてなされたもので、カフ・インフレーションラインおよび／またはカフ上部吸引ライン付き気管内挿管チューブへの固定が容易でかつ固定が緩みにくいうえ、これら２本のラインの潰れや噛み切りを防止でき、さらに充分な強度を有するバイトブロックを提供することをその目的とする。
【課題を解決するための手段】
【００１３】
上記の目的を達成するため、本考案は、口唇部位における気管内挿管チューブの閉塞を防止するためのバイトブロックであって、前記気管内挿管チューブの長手方向に沿って筒状の本体と、この筒状本体の端部から筒状の軸線方向に突出する、締結用具係止用フランジ部と、を備えることを特徴とする。
【００１４】
また、本考案のバイトブロックは、そのなかでも、前記締結用具係止用フランジ部が、その一部に切り欠きを有するフック状またはかぎ状に形成されており、この切り欠きが、前記締結用具を切断することなしに該フランジ部内に挿通できる開口になっている構成を好適に採用する（請求項２）。
【００１５】
さらに、本考案のバイトブロックは、前記締結用具係止用フランジ部の先端側が、前記締結用具の抜け止めとなる、返し形状または折返し状に形成されていることが好ましい（請求項３）。
【００１６】
一方、本考案のバイトブロックは、前記筒状本体の、軸線方向に直交する断面がＣ字状であり、このＣ字状断面の開口が、前記気管内挿管チューブ嵌め入れ用のスリットである構成を好適に採用する（請求項４）。
【００１７】
また、前記バイトブロックにおいて、前記筒状本体の軸線方向に直交する断面が、円形または楕円形の一部を構成しており、前記締結用具係止用フランジ部が、前記断面における、前記円形または楕円形の曲率中心を挟んで前記開口（スリット）に対向する円周位置に設けられている構成としてもよい（請求項５）。
【００１８】
なかでも、前記筒状本体のスリットの幅が、前記気管内挿管チューブと、チューブに並設されたカフ・インフレーションラインを挿通可能な３．０〜７．０ｍｍに形成されており、該筒状本体の軸線方向に直交する断面が、前記気管内挿管チューブと各ラインとを同時に収容可能な内径５．０〜１３．０ｍｍの円状である構成を、好適に採用する（請求項６）。
【００１９】
さらに、本考案のバイトブロックのなかでも、前記筒状本体のスリットの幅が、前記気管内挿管チューブと、チューブに並設されたカフ・インフレーションラインおよびカフ上部吸引ラインとを挿通可能な７．０〜１０．０ｍｍに形成されており、該筒状本体の軸線方向に直交する断面が、前記気管内挿管チューブと各ラインとを同時に収容可能な、長径ＬＬ１２．０〜１７．０ｍｍ、短径ＬＳ８．０〜１３．０ｍｍの楕円状である構成を、最も好適に採用する（請求項７）。
【考案の効果】
【００２０】
本考案は、バイトブロックの気管内挿管チューブに対する固定を確実にして、チューブの潰れの抑制と安全性とを向上させようとするものである。また同時に、気管内挿管チューブに付随するチューブ（ライン）の本数が、近年、機能別に分かれて増加する傾向にあることに対応して、強い咬合に耐え得る構造を保ちつつ、これら複数本のラインに対しても固定を確実にして、ラインの潰れの抑制と安全性とを向上させようとするものである。
【００２１】
すなわち、本考案のバイトブロックのうち、前記気管内挿管チューブの長手方向に沿って筒状の本体と、この筒状本体の端部から筒状の軸線方向に突出する、締結用具係止用フランジ部と、を備えるものは、テープ等の締結用具をこのフランジ部に巻回させ、引っ掛けて係止させることができるため、従来品より確実に、このバイトブロックを固定することが可能になる。
【００２２】
また、本考案のバイトブロックのなかでも、前記締結用具係止用フランジ部が、その一部に切り欠きを有するフック状またはかぎ状に形成されているものは、この切り欠きから、前記固定用テープ等の締結用具を切断することなしに、該フランジ部の中に挿通することができる。
【００２３】
なかでも、前記締結用具係止用フランジ部の先端側が、前記締結用具の抜け止めとなる、返し形状または折返し状に形成されているものは、唾液や外力等により締結用具が緩んだ場合でも、この締結用具がフランジ部から外れることが抑制されている。したがって、本考案のバイトブロックは、従来品より確実に、このバイトブロックが締結され、しかもその締結が外れ難くなっている。これにより、バイトブロックの安定性と安全性とが、格段に向上している。
【００２４】
一方、本考案のバイトブロックのなかでも、前記筒状本体の、軸線方向に直交する断面がＣ字状で、このＣ字状断面の開口が、前記気管内挿管チューブ嵌め入れ用のスリットになっているとともに、前記締結用具係止用フランジ部が、前記断面における、Ｃ字状（円形または楕円形）の曲率中心を挟んで前記スリットに対向する円周位置に設けられているものは、バイトブロックを気管内挿管チューブに嵌め入れる際も、前記締結用具係止用フランジ部が邪魔にならず、容易にこのバイトブロックを嵌め入れることができる。また、テープ等の締結用具を、チューブに巻回する際も、前記フック状またはかぎ状等のフランジ部に引っ掛からず、スムーズにこのテープ等をチューブと一体に巻き回しすることができる。したがって、上記テープ等の締結用具を、緩みなくしっかりと巻回することが可能である。
【００２５】
そして、本考案のバイトブロックのなかでも、特に、筒状本体の形状として、そのスリットの幅が、７．０〜１０．０ｍｍに形成されており、該筒状本体の軸線方向に直交する断面が、前記気管内挿管チューブと各ラインとを同時に収容可能な、長径ＬＬ１２．０〜１７．０ｍｍ、短径ＬＳ８．０〜１３．０ｍｍの楕円状であるものは、前記気管内挿管チューブおよび各ラインを、一体的にかつ同時に筒状本体の内側に収容することができる。この構成により、前記カフ・インフレーションラインおよびカフ上部吸引ラインは、使用時も、バイトブロックの筒状本体の外に出ることがなく、噛み潰し等による各ラインの潰れを防止することができる。
【図面の簡単な説明】
【００２６】
【図１】本考案の第１実施形態のバイトブロックを使用方向の横側から見た斜視図。
【図２】図１のバイトブロックを使用方向反対側の横方向から見た斜視図。
【図３】第１実施形態のバイトブロックを使用方向の上側（図１の左側）から見た図。
【図４】第１実施形態のバイトブロックを使用方向の下側（図１の右側）から見た図。
【図５】第１実施形態のバイトブロックを施術者の手元側（図１の上側）から見た図。
【図６】第１実施形態のバイトブロックを患者の口唇側（図１の下側）から見た図。
【図７】第１考案の実施形態のバイトブロックの使用方法を説明する写真代用図面。
【図８】（ａ），（ｂ）はいずれも、本考案の第２実施形態のバイトブロックの構成を示す斜視図。
【図９】（ａ）〜（ｃ）は、従来のバイトブロックの構成を示す写真代用図面。
【考案を実施するための形態】
【００２７】
つぎに、本考案の実施の形態を、図面にもとづいて詳しく説明する。ただし、本考案は、この実施の形態に限定されるものではない。
【００２８】
本考案の第１実施形態におけるバイトブロック１０は、図１，図２に示すように、断面円形状または楕円形状（この例では楕円形）の筒状本体１と、この筒状本体１の一端（図示上側の端部１ａ）から筒状の軸線方向に突出する、締結用具係止用フランジ部２と、からなる。
【００２９】
筒状本体１は、気管内挿管チューブの長手方向に沿って延びる筒状で、図７の使用状態図に示すように、締結用具係止用フランジ部２を、口唇等から外に突出するよう上側（施術者側または医療関係者側）に向け、気管内挿管チューブＴの横方向から嵌め入れて使用される。
【００３０】
この筒状本体１の、軸線方向に直交する断面は、図５および図６の端面図に代用して示すように、略Ｃ字状に形成されており、この略Ｃ字状断面の開口（図示１ｂ）が、気管内挿管チューブ嵌め入れ用のスリット１ｂとなっている。
【００３１】
なお、前述の略Ｃ字状の断面は、円形または楕円形（本例では楕円形）の一部を構成しており、後述する締結用具係止用フランジ部２が、前記楕円形状の断面の曲率中心を挟んでスリット１ｂに対向する、円周方向反対側の位置に設けられている。すなわち、フランジ部２は、スリット１ｂを介した、バイトブロック１０側方からの気管内挿管チューブＴの嵌め入れに対して、邪魔にならない位置に配設されている。
【００３２】
ここで、第１実施形態のバイトブロック１０は、筒状本体１の軸線方向に直交する断面が、図６（端面図）に示すような、前記気管内挿管チューブＴとカフ・インフレーションラインおよびカフ上部吸引ラインＳを全て収容可能な、楕円状に形成されている構成を好適に採用する。なお、この楕円形状とは、好ましくは、長径ＬＬ１２・０〜１７．０ｍｍ、短径ＬＳ８．０〜１３．０ｍｍの楕円状のオーバル形である。
【００３３】
そして、略Ｃ字形に開口する、筒状本体１のスリット１ｂの幅は、挿通される前記気管内挿管チューブＴの径（外径）およびチューブに並設されたカフ上部吸引ラインＳ等の複数本のラインの径を考慮して、７．０〜１０．０ｍｍに形成されている。
【００３４】
この構成により、本考案のバイトブロック１０は、図７に示すように、まず、前記筒状本体１をスリット１ｂから、カフ・インフレーションラインおよびカフ上部吸引ラインＳが表面に飛び出ていない、気管内挿管チューブＴの下側部分に嵌め入れ、嵌め入れた筒状本体１を、上側（施術者または医療関係者のいる上方）にスライドさせて引き上げることにより、徐々にチューブＳの表面に飛び出てくるカフ上部吸引ラインＳ等を、この筒状本体１内に、気管内挿管チューブＴと一緒に収容することができる。
【００３５】
つぎに、第１実施形態のバイトブロック１０の締結用具係止用フランジ部２は、同じく図７に示すように、そのフランジ部２の中に設けられた切り欠き２ａの中に、位置固定用テープ等の締結用具を挿通して巻回できるようになっている点を特徴とする。
【００３６】
すなわち、締結用具係止用フランジ部２は、その一部に切り欠き２ａを有するフック状またはかぎ状に形成されている。そして、この切り欠き２ａが、テープ等の締結用具を、切断することなしに該フランジ部２内を何度も挿通させることのできる開口となっている。
【００３７】
また、締結用具係止用フランジ部２の先端２ｂ側（切り欠き２ａより先）は、テープ等の締結用具の抜け止めとなる、返し形状または折返し状に形成されている。これにより、先のテープ等の締結用具が、唾液等により緩んだとしても、筒状本体１（バイトブロック１０）が脱落しないようになっている。
【００３８】
なお、バイトブロック１０の筒状本体１およびフランジ部２を構成する材料としては、ポリエチレン（ＰＰ），ポリプロピレン（ＰＥ），ポリアミド（ＰＡ），ＰＥＴ，ＰＥＮや塩化ビニール樹脂等、公知のプラスチックのなかで、人体に無害なものを、好適に使用する。
【００３９】
使用状態である図７を参照して、より詳しく説明すると、カフ・インフレーションラインおよびカフ上部吸引ライン付き気管内挿管チューブＴの各ライン（Ｓ等）は、通常、気管内挿管チューブＴの長さ方向中間部分より下側では、該チューブＴの内側（内部）に埋設されており、表面には出ていない。そして、カフ・インフレーションラインおよびカフ上部吸引ラインＳは、気管内挿管チューブＴの長さ方向中間部分から上側において、チューブＴの表面から外側（外部）に出て、１〜５ｍｍ程度のライン（細いチューブ，図７参照）となる。
【００４０】
そのため、第１実施形態のバイトブロック１０は、まず、各ラインがチューブＴの表面に出ていない下側（挿入側）に対して、ほぼ横方向から、スリット１ｂを介してチューブＴに嵌め入れられる。ついで、このバイトブロック１０を、インフレーションラインおよびカフ上部吸引ラインＳがチューブＴの表面に出ている上側に向かって引き上げることにより、先にも述べたように、チューブＴから突出する各ラインを、チューブＴと一緒に、バイトブロック１０の中（内径側）に収めることができる。
【００４１】
なお、円（ラウンド）形状の筒状本体を有するバイトブロックの場合は、バイトブロックを所定位置まで引き上げた後、前記気管内挿管チューブＴの表面から飛び出した各ラインを、バイトブロック１０横方向のスリット１ｂに沿わせて、この溝内に収容すればよい。
【００４２】
これらの構成により、本考案のバイトブロックは、オーバル形およびラウンド形のどちらでも、インフレーションラインおよびカフ上部吸引ラインＳの噛み潰しおよび噛み切りを防止することができる。
【００４３】
つぎに、断面が楕円（オーバル）形のバイトブロックの場合、インフレーションラインおよびカフ上部吸引ラインＳを、筒状本体１の中に収めた状態で、フランジ部２を含む気管内挿管チューブＴの外側（外径側）に、テープ等を複数回（少なくとも２周）巻回する。その際、テープ等が、返し形状または折返し状に形成されたフランジ部先端２ｂの内側の、切り欠き２ａ部にかかるように巻回する。なお、テープを、チューブＴおよびフランジ部２の周りに巻き回しする際は、インフレーションラインおよびカフ上部吸引ラインＳをテープ内に巻き込まないように、外に出した状態で巻回する。これにより、各ラインの潰れを防止できる。
【００４４】
以上の構成により、テープ等が緩んだ場合でも、筒状本体１の脱落を防止することができる。そして、バイトブロック１０は、体内（口唇内）に落ち込むことにないように、確実に保持されることとなる。しかも、カフ上部吸引ラインＳ等のチューブＴ本体から突出する各ライン類も、しっかりと筒状本体１内に保持され、歯等による噛み潰しが防止されている。
【００４５】
したがって、本考案のバイトブロックは、先述のインフレーションラインおよびカフ上部吸引ライン付き気管内挿管チューブへの固定が容易で、かつ固定が緩みにくいうえ、これら各フ上部吸引ラインの潰れを抑えることのできるバイトブロック、とすることができる。
【００４６】
なお、断面が円（ラウンド）形のバイトブロックの場合は、前記各ライン類を、筒状本体１のスリット１ｂにより形成される溝に沿わせた状態で、前述と同様に、フランジ部２を含む気管内挿管チューブＴの外側（外径側）にテープ等を巻回すれば、オーバル形のバイトブロックと同様の効果を得ることができる。
【００４７】
また、各ラインは、テープ等の内側に巻回する（巻き込む）必要はないが、フランジ部２，チューブＴと一緒に巻回してもよい。この場合でも、テープ等の緩みによる筒状本体１の脱落を防止する効果は、他の例と同様に発揮される。
【００４８】
つぎに、本考案の第２実施形態のバイトブロック２０を、図８に示す。
第２実施形態のバイトブロック２０も、基本的な構成・構造は、第１実施形態のバイトブロック１０と同様であり、断面円形状または楕円形状（この例では円形状）の筒状本体１１と、この筒状本体１１の一端（図示上側の端部１１ａ）から筒状の軸線方向に突出する、締結用具係止用フランジ部１２とを備える。
【００４９】
また、筒状本体１１の、軸線方向に直交する断面は、第１実施形態と同様、略Ｃ字状に形成されており、この略Ｃ字状断面の開口（図示１１ｂ）が、気管内挿管チューブ嵌め入れ用のスリット１１ｂとなっている。なお、略Ｃ字状の断面は、円形または楕円形（本例では円形）の一部を構成しており、締結用具係止用フランジ部１２は、前記円形の断面の曲率中心を挟んでスリット１１ｂに対向する、円周方向反対側の位置に設けられている点も、同じである。
【００５０】
第２実施形態のバイトブロック２０が、第１実施形態と異なるのは、図８（ａ），（ｂ）に示すように、締結用具係止用フランジ部１２の先端１２ａ側の抜け止め形状が、フランジ部１２の先端１２ａから外方に、返し形状または折返し状に延設されている点である。この形状によっても、第１実施形態のバイトブロック１０と同様に、先のテープ等の締結用具が、唾液等により緩んだとしても、筒状本体１１（バイトブロック２０）は、テープ等の締結から脱落することがないようになっている。
【００５１】
第２実施形態のバイトブロック２０の使用方法も、第１実施形態（図７）とほぼ同様、インフレーションラインおよびカフ上部吸引ラインＳを筒状本体１１の中に収めた状態で、テープ等が、フランジ部１２の折返し状延設部分の内側で、かつ、フランジ部１２の外側（外面）の部位に引っ掛かるようにしながら、フランジ部１２を含む気管内挿管チューブＴの外側（外径側）に、テープ等を複数回巻回する。
【００５２】
なお、第２実施形態のバイトブロック２０は、主に小児または子供への適用を考慮して考案されたものである。そのため、円形状とは、好ましくは、直径（内径）５〜１０ｍｍ程度のラウンド（サークル）形に形成されている（成人または大人用の場合は、内径８〜２０ｍｍ程度）。また、筒状本体１１のスリット１１ｂの幅は、前記気管内挿管チューブＴの径（外径）等を考慮して、小児または子供用の場合３〜８ｍｍ程度、成人または大人用の場合５〜１２ｍｍ程度に、形成されていることが望ましい。
【００５３】
また、バイトブロック２０の筒状本体１１およびフランジ部１２を構成する材料としては、ポリエチレン（ＰＰ），ポリプロピレン（ＰＥ），ポリアミド（ＰＡ），ＰＥＴ，ＰＥＮや塩化ビニール樹脂等、公知のプラスチックのなかで、人体に無害なものが、好適に用いられる。
【産業上の利用可能性】
【００５４】
本考案のバイトブロックは、患者等の口から気管に向けて挿入された、インフレーションラインおよびカフ上部吸引ライン付き気管内挿管チューブを保護する用途に適する。
【符号の説明】
【００５５】
１  筒状本体
１ａ  端部
１ｂ  スリット
２  フランジ部
２ａ  切り欠き
２ｂ  先端
１０  バイトブロック
１１  筒状本体
１１ａ  端部
１１ｂ  スリット
１２  フランジ部
１２ａ  先端
２０  バイトブロック
【図１】
0003213798.tif 000003
【図２】
0003213798.tif 000004
【図３】
0003213798.tif 000005
【図４】
0003213798.tif 000006
【図５】
0003213798.tif 000007
【図６】
0003213798.tif 000008
【図７】
0003213798.tif 000009
【図８】
0003213798.tif 000010
【図９】
0003213798.tif 000011